(57)【要約】【課題】放送波の表す放送コンテンツを再生する放送コンテンツ再生装置に必要であった消費電力を低減させる通信装置を提供する。【解決手段】本発明の通信装置は、放送波を受信するチューナー部２と、放送波に含まれる、緊急放送波の受信を指示するフラグを検出するフラグ監視部３と、フラグ監視部３においてフラグを検出したとき、緊急放送波の受信を指示する指示信号を、放送コンテンツ再生装置に送信する送信手段起動信号送出部４と、を備えている。【選択図】図１
2009253895.tif 000002
【特許請求の範囲】
【請求項１】
放送波を受信する受信手段と、
上記放送波に含まれる、当該放送波と異なる他の放送波の受信を指示するフラグを検出する検出手段と、
上記フラグが検出されたとき、上記他の放送波の受信を指示する指示信号を、上記他の放送波の表す放送コンテンツを再生する放送コンテンツ再生装置に送信する送信手段と、
を備えていることを特徴とする通信装置。
【請求項２】
上記放送コンテンツ再生装置各々を識別する識別情報を取得する識別情報取得手段をさらに備えており、
上記送信手段は、上記識別情報に基いて、上記指示信号を上記放送コンテンツ再生装置に送信することを特徴とする請求項１に記載の通信装置。
【請求項３】
上記送信手段は、上記指示信号を電子メールまたは音声データに含めて送信することを特徴とする請求項１または２に記載の通信装置。
【請求項４】
上記放送コンテンツは、緊急放送コンテンツであることを特徴とする請求項１から３のいずれか１項に記載の通信装置。
【請求項５】
放送波の受信を指示する指示信号を受信する指示信号受信手段と、
上記指示信号が受信されたときに起動して、上記放送波を受信する放送波受信手段と、
上記受信された上記放送波が表す放送コンテンツを再生する再生手段とを備えていることを特徴とする放送コンテンツ再生装置。
【請求項６】
上記指示信号受信手段は、上記指示信号を受信したか否かを判定する判定手段をさらに備えており、
上記放送波受信手段は、上記判定手段において上記指示信号を受信したと判定されたときに起動することを特徴とする請求項５に記載の放送コンテンツ再生装置。
【請求項７】
放送波を受信する受信工程と、
上記放送波に含まれる、当該放送波と異なる他の放送波の受信を指示するフラグを検出する検出工程と、
上記フラグが検出されたとき、上記他の放送波の受信を指示する指示信号を、上記他の放送波の表す放送コンテンツを再生する放送コンテンツ再生装置に送信する送信工程と、
を含むことを特徴とする通信方法。
【請求項８】
通信装置および放送コンテンツ再生装置を備えている放送コンテンツ再生システムであって、
上記通信装置は、
放送波を受信する受信手段と、
上記放送波に含まれる、当該放送波と異なる他の放送波の受信を指示するフラグを検出する検出手段と、
上記フラグが検出されたとき、上記他の放送波の受信を指示する指示信号を上記放送コンテンツ再生装置に送信する送信手段とを備え、
上記放送コンテンツ再生装置は、
上記指示信号を受信する指示信号受信手段と、
上記指示信号が受信されたときに起動して、上記他の放送波を受信する放送波受信手段と、
上記他の放送波の表す放送コンテンツを再生する再生手段とを備えていることを特徴とする放送コンテンツ再生システム。
【請求項９】
請求項１から４のいずれか１項に記載の通信装置を動作させるプログラムであって、コンピュータを上記の各手段として機能させるための通信制御プログラム。
【請求項１０】
請求項９に記載の通信制御プログラムを記録しているコンピュータ読み取り可能な記録媒体。
【発明の詳細な説明】
【技術分野】
【０００１】
本発明は、主として、放送波を受信する受信部および信号を含むデータを送信する送信部とを備えた通信装置に関する。
【背景技術】
【０００２】
デジタル放送は、デジタル方式の無線局により行われる放送であり、受信する映像が高画質及び高音質であること、ならびに、情報を双方向に送受信することができることを特徴する放送である。このように、デジタル放送は、様々な特徴を持つが、そのひとつとして、緊急放送に対応している点を挙げることができる。
【０００３】
緊急放送は、地震などの災害が発生した時、または、津波警報が発令された時に、緊急放送に対応した受信機に地震や津波などの災害情報を伝える放送である。具体的には、受信機は、放送波に含まれる伝送制御信号（ＴＭＣＣ：Ｔｒａｎｓｍｉｓｓｉｏｎ  ａｎｄ  Ｍｕｌｔｉｐｌｅｘｉｎｇ  Ｃｏｎｆｉｇｕｒａｔｉｏｎ  Ｃｏｎｔｒｏｌ）に含まれる緊急放送起動フラグを認識することにより、緊急放送を受信する。このような受信機について、図１１を参照して以下に説明する。
【０００４】
図１１は、デジタル放送の信号からＴＭＣＣを抽出することにより、緊急放送を再生する受信機の構成を示すブロック図である。
【０００５】
まず、Ａ／Ｄ変換部７１は、チューナから取り出された希望周波数の信号をデジタル信号に変換する。シンボル同期部７６、及び、クロック同期生成部７７は、得られたデジタル信号から、シンボル同期を検出する。ＦＦＴ（Ｆａｓｔ  Ｆｏｕｒｉｅｒ  Ｔｒａｎｓｆｏｒｍ）部７２は、デジタル信号を周波数軸上の信号に変換する。フレームデコード部７４は、同期ワードを検出する。これによって、フレーム同期が見つけられる。これによりＴＭＣＣ復号部７５はＴＭＣＣを解析し、緊急放送起動フラグを抽出する。一方、復調後段処理部７３はＦＦＴ部７２の後段にあり、通信路複合などの処理を行う。その後、放送データであるＴＳ（ＭＰＥＧ−２  Ｔｒａｎｓｐｏｒｔ  Ｓｔｒｅａｍ）が再生される。
【０００６】
このように、受信機が緊急放送に対応するためには、チューナ、及び、ＦＦＴ部７２を常に動作させることにより、ＴＭＣＣ内の緊急放送起動フラグの値を監視する必要がある。そのため、テレビを視聴していない際にもチューナ、及び、ＦＦＴ部７２を動作させておくための電力が必要である。
【０００７】
近年では、デジタル放送に対応した据え置き型の受信機に加え、モバイル機器向けのデジタル放送であるワンセグ放送に対応した機器が増えている。また、防災に対する意識の高まりとともに、据え置き型の受信機だけでなく、ワンセグ放送に対応した機器を利用して緊急放送を受信したいというニーズが存在する。
【０００８】
しかし、モバイル受信機は消費電力を低く抑える必要があり、緊急放送起動フラグを常時監視する必要がある緊急放送への対応が難しい。このため、緊急放送に対応する機能を搭載したモバイル受信機はほとんど開発されていない。
【０００９】
非特許文献１には、より少ない消費電力で緊急放送を受信できる受信機が開示されている。このような受信機の構成を示すブロック図を図１２に示す。チューナ部２が放送信号を受信すると、起動フラグ検出部８２は緊急放送起動フラグを抽出する。このフラグが変化すると、復調部５、復号表示部６が起動し、緊急放送受信のための処理を行う。
【００１０】
非特許文献１に記載の受信機では、より少ない消費電力で緊急放送を受信するために、ワンセグ放送のＴＭＣＣキャリアがワンセグ帯域内の固定位置に４本あることを利用している。すなわち、ＦＦＴを行う代わりにＴＭＣＣキャリアを遅延検波することによりＴＭＣＣを取得し、ＴＭＣＣから緊急放送信号フラグを得ている。図１３はワンセグ帯域内におけるＴＭＣＣキャリアの配置を示す。
【００１１】
このように、非特許文献１に記載の受信機では、図１１に示す受信機のようにＦＦＴを行う必要がないため、図１１に示す受信機に比べると消費電力を低減することができる。
【００１２】
また、例えば特許文献１には、受信した緊急通報メールに通報者端末の個人情報および現在位置を追加して転送する通信センターを備えたシステムが記載されている。
【特許文献１】特開２００２−２６９６６０（平成１４年９月２０日公開）
【非特許文献１】田口誠、外３名、「緊急警報放送によるワンセグ端末の自動起動の検討」、信学技報ＥＭＣＪ２００６−１２０、電子情報通信学会、２００７年３月、ｐ．２９−３２
【発明の開示】
【発明が解決しようとする課題】
【００１３】
しかしながら、非特許文献１に記載の受信機を用いた場合であっても、伝送制御信号に含まれる緊急放送起動フラグの値を監視するために、チューナ部２を間欠動作させなければならない。また、緊急放送起動フラグを抽出するためには、起動フラグ検出部８２を常時動作させなければならない。このため、非特許文献１に記載の受信機を用いた場合であっても、これらを動作させるための電力が依然として必要であるという問題がある。
【００１４】
また、特許文献１に記載の通信センターは、受信した緊急通報メールに情報を付加する機能を有しているのみであり、受信装置（救済端末）側の消費電力を低減することはできない。
【００１５】
本発明は、上記の問題に鑑みてなされたものであり、その主たる目的は、放送波の表す放送コンテンツを再生する放送コンテンツ再生装置に必要であった消費電力を低減させる通信装置を提供することにある。また、本発明に係る通信装置からの指示を受けて放送波の受信を開始する受信装置、および通信装置と受信装置とを備えた放送コンテンツ再生システムについても併せて提供する。
【課題を解決するための手段】
【００１６】
本発明に係る通信装置は、上記課題を解決するために、
放送波を受信する受信手段と、
上記放送波に含まれる、当該放送波と異なる他の放送波の受信を指示するフラグを検出する検出手段と、
上記フラグが検出されたとき、上記他の放送波の受信を指示する指示信号を、上記他の放送波の表す放送コンテンツを再生する放送コンテンツ再生装置に送信する送信手段と、
を備えていることを特徴としている。
【００１７】
上記の構成によれば、本発明に係る通信装置は、放送波の受信を指示するフラグを検出し、フラグの検出されたときに、他の放送波の受信を指示する指示信号を放送コンテンツ再生装置に送信する。
【００１８】
これによって、放送コンテンツ再生装置側では、放送波に含まれるフラグを検出するための機能が不要となる。すなわち、放送コンテンツ再生装置は、フラグを検出する検出手段に要していた消費電力を不要にすることができる。したがって、通信装置は、放送コンテンツ再生装置において必要であった消費電力を低減させることができるという効果を奏する。
【００１９】
本発明に係る通信方法は、上記課題を解決するために、
放送波を受信する受信工程と、
上記放送波に含まれる、当該放送波と異なる他の放送波の受信を指示するフラグを検出する検出工程と、
上記フラグが検出されたとき、上記他の放送波の受信を指示する指示信号を、上記他の放送波の表す放送コンテンツを再生する放送コンテンツ再生装置に送信する送信工程と、
を含むことを特徴としている。
【００２０】
上記の構成によれば、本発明に係る通信装置と同様の作用効果を奏する。
【００２１】
本発明に係る通信装置は、さらに、上記放送コンテンツ再生装置各々を識別する識別情報を取得する識別情報取得手段をさらに備えており、上記送信手段は、上記識別情報に基いて、上記指示信号を上記放送コンテンツ再生装置に送信することが好ましい。
【００２２】
上記の構成によれば、通信装置は、取得した識別情報を関連付けられた送信先情報に対してのみ、指示信号を送信することができる。
【００２３】
これによって、放送コンテンツ再生装置の存在する位置において、受信する放送コンテンツが放送されていない場合であっても、指示信号が送信されてしまうことを回避することができる効果を奏する。また、端末リストに登録されており、かつ、取得した識別情報に関連付けられている送信先情報に指示信号を一斉に送信することができる効果も併せて奏する。
【００２４】
本発明に係る通信装置は、さらに、上記送信手段は、上記指示信号を電子メールまたは音声データに含めて送信することが好ましい。
【００２５】
本発明に係る通信装置は、さらに、上記放送コンテンツは、緊急放送コンテンツであることが好ましい。
【００２６】
本発明に係る放送コンテンツ再生装置は、上記課題を解決するために、
放送波の受信を指示する指示信号を受信する指示信号受信手段と、
上記指示信号が受信されたときに起動して、上記放送波を受信する放送波受信手段と、
上記受信された上記放送波が表す放送コンテンツを再生する再生手段とを備えていることを特徴としている。
【００２７】
上記の構成によれば、放送コンテンツ再生装置は、放送波の受信を指示する指示信号に基いて放送波受信手段を起動する。すなわち、放送コンテンツ再生装置は、フラグを検出する処理を不要にすることができるため、フラグを検出する検出手段に要していた消費電力を不要にすることができる。したがって、放送コンテンツ再生装置は、消費電力を低減することができる効果を奏する。また、放送コンテンツ再生装置がバッテリーにより電力を供給される装置である場合には、バッテリーを長持ちさせることができる。
【００２８】
本発明に係る放送コンテンツ再生装置は、さらに、上記指示信号受信手段において受信した上記放送波が、上記指示信号を含むか否かを判定する判定手段をさらに備えており、上記放送波受信手段は、上記判定手段において上記指示信号を含むと判定されたときに起動することが好ましい。
【００２９】
上記の構成によれば、判定手段では、受信した信号が指示信号であるか否かを判定する。そのため、指示信号受信手段は、指示信号以外の信号またはデータも受信することができる。すなわち、新たに指示信号受信手段を備える必要がないため、指示信号受信手段は、既に備えられている受信手段により代用することができる。これによって、受信手段に要する消費電力も併せて低減することができる効果を奏する。
【００３０】
本発明に係る放送コンテンツ再生システムは、上記課題を解決するために、
通信装置および放送コンテンツ再生装置を備えている放送コンテンツ再生システムであって、
上記通信装置は、
放送波を受信する受信手段と、
上記放送波に含まれる、当該放送波と異なる他の放送波の受信を指示するフラグを検出する検出手段と、
上記フラグが検出されたとき、上記他の放送波の受信を指示する指示信号を上記放送コンテンツ再生装置に送信する送信手段とを備え、
上記放送コンテンツ再生装置は、
上記指示信号を受信する指示信号受信手段と、
上記指示信号が受信されたときに起動して、上記他の放送波を受信する放送波受信手段と、
上記他の放送波の表す放送コンテンツを再生する再生手段とを備えていることを特徴としている。
【００３１】
上記の構成によれば、本発明に係る通信装置と同様の作用効果を奏する。
【００３２】
なお、上記通信装置は、コンピュータによって実現してもよい。この場合、コンピュータを上記各手段として動作させることにより上記通信装置をコンピュータにおいて実現する通信装置制御プログラム、およびその通信装置制御プログラムを記録したコンピュータ読み取り可能な記録媒体も、本発明の範疇に入る。
【発明の効果】
【００３３】
以上のように、本発明に係る通信装置は、放送波の受信を指示するフラグを検出する。そして、フラグの検出されたときに、他の放送波の受信を指示する指示信号を放送コンテンツ再生装置に送信する。
【００３４】
これによって、通信装置は、放送コンテンツ再生装置において必要であった消費電力を低減させることができるという効果を奏する。
【発明を実施するための最良の形態】
【００３５】
〔実施形態１〕
本発明に係る通信装置の一実施形態について、図１〜５を参照して以下に説明する。なお、本実施形態における放送コンテンツは、特に限定されるものではない。本発明の理解を容易とするために、本実施形態では、放送コンテンツ再生装置において再生される放送コンテンツが緊急放送コンテンツである場合を例に挙げて説明する。
【００３６】
ここで、本明細書等における「緊急放送コンテンツ」とは、緊急放送波の表す、人々に至急公開（公表）する必要がある放送コンテンツであり、例えば、地震または津波などの災害情報を挙げることができる。災害情報以外にも、例えば、事件およびスポーツ中継などの速報、事故または天候による交通情報の乱れなども緊急放送コンテンツに含まれる。
【００３７】
（通信装置の構成）
本実施形態に係る通信装置の構成について、図１を参照して以下に説明する。図１は、通信装置１の要部構成を示すブロック図である。通信装置１は、放送波に含まれるフラグの検出に基いて、第２の緊急放送指示信号（指示信号）を生成すると共に、緊急放送波の表す緊急放送コンテンツを再生する放送コンテンツ再生装置に送信する装置である。
【００３８】
通信装置１は、図１に示すように、チューナ部（受信手段）２、フラグ監視部（検出手段）３、起動信号送信部（送信手段）４、復調部５、復号表示部６、および端末管理データベース７を備えている。各部材の機能について、以下に説明する。
【００３９】
（チューナ部２）
チューナ部２は、第１の緊急放送指示信号を含む放送波を受信する。第１の緊急放送指示信号には、緊急放送波の受信を開始する第２の緊急放送指示信号を生成するためのフラグがさらに含まれている。
【００４０】
（フラグ監視部３）
フラグ監視部３は、第１の緊急放送指示信号に含まれるフラグを検出する。
【００４１】
（起動信号送信部４）
起動信号送信部４は、フラグ監視部３において検出されるフラグをトリガーとして、第２の緊急放送指示信号を生成すると共に、生成した第２の緊急放送指示信号を放送コンテンツ再生装置に送信する。第２の緊急放送指示信号は、放送コンテンツ再生装置において、放送波の受信を指示する信号である。
【００４２】
（復調部５、復号表示部６）
復調部５は、受信した放送波を復調すると共に、ＴＭＣＣ信号を抽出し、緊急放送コンテンツを再生する。また、復号表示部６は、緊急放送コンテンツから画像及び音声の少なくともいずれかを復号する。なお、復号表示部６は、画像であれば表示装置に表示し、音声であればスピーカなどの出力装置から出力する。
【００４３】
（端末管理データベース７）
端末管理データベース７は、生成した第２の緊急放送指示信号を送信する送信先の情報を示す送信先情報を記録している。送信先情報としては、例えば、メールアドレスまたは電話番号などを挙げることができる。端末管理データベース７に記録されている送信先情報は、いずれか１つであってもよいし、複数であってもよい。
【００４４】
（通信装置１の動作）
次に、通信装置１が第２の緊急放送指示信号を生成する動作について、図２を参照して説明する。図２は、通信装置１が第２の緊急放送指示信号を生成する動作を示すフローチャートである。
【００４５】
チューナ部２は、放送波を受信すると共に、復調部５に対して受信した放送波を出力する（ステップＳ１）。復調部５は入力された放送波を復調しつつ、放送波からＴＭＣＣ信号を抽出する（ステップＳ２）。フラグ監視部３は、復調部５において抽出されたＴＭＣＣ信号に含まれるフラグを検出する（ステップＳ３）。
【００４６】
フラグの値が特定値に変化した場合（ステップＳ４においてＹｅｓ）、起動信号送出部４は、第２の緊急放送指示信号を生成する（ステップＳ５）。続いて、起動信号送出部４は、生成した第２の緊急放送指示信号の送信先情報を、端末管理データベース７から取得する（ステップＳ６）。このとき、第２の緊急放送指示信号を電子メールに含めて送信する場合には、送信先情報は、メールアドレスであり、音声信号に含めて送信する場合には、送信先情報は、電話番号となる。
【００４７】
最後に、起動信号送出部４は、取得した送信先情報に対して、第２の緊急放送指示信号を送信する（ステップＳ６）。なお、復号表示部６は、復調部５において再生された放送データから画像、音声などのコンテンツを復号する。なお、必ずしも復調部５、および復号表示部６において放送波の表す放送コンテンツを再生する必要はない。
【００４８】
（通信装置１の利点）
以上説明したように、通信装置１は、緊急放送波の受信を指示するフラグを検出すると共に、フラグの検出されたときに、緊急放送波の受信を指示する第２の緊急放送指示信号を放送コンテンツ再生装置に送信する。
【００４９】
これによって、放送コンテンツ再生装置側では、緊急放送波に含まれるフラグを検出するための機能が不要となる。すなわち、放送コンテンツ再生装置は、フラグを検出する検出手段に要していた消費電力を不要にすることができる。したがって、通信装置１は、放送コンテンツ再生装置において必要であった消費電力を低減させることができる。
【００５０】
（第２の緊急放送指示信号の詳細）
ここで、第２の緊急放送指示信号の詳細について、図３を参照して以下に説明する。ここでは、第２の緊急放送指示信号を電子メールに含める場合を例に挙げて説明する。
【００５１】
第２の緊急放送指示信号を含む電子メールでは、例えば、第２の緊急放送指示信号を含む電子メールのヘッダ部１１に「Ｘ−ＤＴＶ−Ｅｍｅｒｇｅｎｃｙ」などの新規フィールドを挿入する。これによって、通常の電子メールと第２の緊急放送指示信号を含むメールとを識別することができる。
【００５２】
なお、新規フィールドを挿入する以外にも、ヘッダ部１１内のＳｕｂｊｅｃｔフィールド１２または本文１３にあらかじめ取り決めたパターンを挿入するようにしてもよい。あらかじめ取り決めたパターンの例としては、「緊急放送メール」などの文字列とする方法が考えられる。もちろん、第２の緊急放送指示信号を含む電子メールにも、通常のメールとしての文章を記載することができる。受信したメールの本文として、例えば「緊急放送です」などの文章を記載することにより迷惑メールとして処理されることを防止することができる。なお、第２の緊急放送指示信号を含む電子メールに添付ファイルを添付することもできる。
【００５３】
第２の緊急放送指示信号を含むデータとして、電子メール以外にも、所定のフォーマットのイベントメッセージまたは音声データを利用することができる。電子メールは、プロトコルの制約上、リアルタイムの通信が困難であり、放送コンテンツ再生装置へ第２の緊急放送指示信号を通知することができない可能性がある。しかし、音声データを用いた場合には、リアルタイムでの通信が可能となる。
【００５４】
また、第２の緊急放送指示信号を含むデータを送信するためのプロトコルとしては、ＳＭＴＰ、ＨＴＴＰ、ＳＩＰ、Ｂｌｕｅｔｏｏｔｈ（登録商標）、またはＩｒＤＡなどを用いることができる。
【００５５】
（通信装置の変形例）
本発明に係る通信装置の変形例について図４〜５を参照して説明する。図４は、通信装置２１の構成を示すブロック図である。図４に示すように、通信装置２１は、チューナ部２、フラグ監視部３、起動信号送信部４、復調部５、復号表示部６、および、エリア内端末管理部２２（識別情報取得手段、管理手段）を備えている。
【００５６】
本実施形態では、通信装置２１が携帯型情報端末（放送コンテンツ再生装置）の受信する電波を送信する基地局の内部に配置されている場合を例に挙げて説明する。チューナ部２、フラグ監視部３、起動信号送信部４、復調部５、および復号表示部６は、上述したため、ここではその説明を省略する。したがって、ここでは、エリア内端末管理部２２についてのみ以下に説明する。なお、ここでは、放送コンテンツ再生装置として、携帯型情報端末を例に挙げて説明するが、これに限定されるものではない。
【００５７】
（エリア内端末管理部２２）
エリア内端末管理部２２は、第２の緊急放送指示信号の送信先を示す送信先情報としてＩＤ情報（識別情報）から成る端末リストを予め記録している。エリア内端末管理部２２は、通信装置２１が設置される基地局からの電波が届くエリアに存在する携帯型情報端末に固有のＩＤ情報を取得し、端末リストに登録する。
【００５８】
より具体的に説明すると、例えば「Ａ」というＩＤ情報を有する携帯型端末は、通信装置２１の備えられている基地局のエリア内に留まっている間、エリア内端末管理部２２における端末リストには、ＩＤ情報「Ａ」が登録されている。このＩＤ情報「Ａ」は、携帯型端末が通信装置２１の備えられている基地局のエリア内に留まっている限り保持される。なお、本実施形態では、識別情報をＩＤ情報「Ａ」として説明したが、ＩＤ情報「Ａ」は、実際には、メールアドレスなどの送信先情報とすることができる。
【００５９】
ＩＤ情報「Ａ」をもつ携帯型情報端末が、通信装置２１の備えられている基地局のエリア外に移動すると、通信装置２１には、通信装置２１を備えている基地局を管理する親基地局から、ＩＤ情報「Ａ」をもつ携帯型情報端末がエリア外に起動したことが通知される。この通知を受けると、通信装置２１は、端末リストからＩＤ情報「Ａ」を削除する。
【００６０】
（通信装置２１の動作）
上記構成において、通信装置２１が放送波から第２の緊急放送指示信号を生成する際の動作について図５を参照して説明する。図５は通信装置２１が第２の緊急放送指示信号を生成する動作を示すフローチャートである。
【００６１】
チューナ部２は、放送波を受信すると共に（ステップＳ１１）、受信した放送波を復調部５に出力する。復調部５は、入力された放送波を復調しつつ、放送波からＴＭＣＣ信号を抽出する（ステップＳ１２）。フラグ監視部３は、復調部５において抽出されたＴＭＣＣ信号に含まれるフラグを検出する（ステップＳ１３）。
【００６２】
フラグの値が特定値に変化した場合（ステップＳ１４においてＹｅｓ）、起動信号送出部４は、第２の緊急放送指示信号を生成する（ステップＳ１５）。続いて、起動信号送出部４は、エリア内端末管理部２２に登録されている送信先情報のうち、通信装置２１の備えられている基地局のエリア内に存在している携帯型情報端末を検索する（ステップＳ１６）。起動信号送出部４は、抽出された携帯型情報王端末に対して、生成した第２の緊急放送指示信号を送信する（ステップＳ１７）。なお、復号表示部６は、復調部５において再生された放送データから画像、音声などのコンテンツを復号する。
【００６３】
（通信装置２１の利点）
このように、エリア内端末管理部２２を備えていることにより、通信装置２１は、取得したＩＤ情報に関連付けられている送信先情報に対してのみ、第２の緊急放送指示信号を含むデータを送信することができる。これによって、携帯型情報端末の存在する位置において、受信する緊急放送コンテンツが放送されていない場合に第２の緊急放送指示信号が送信されてしまうことを回避することができる。また、通信装置２１は、端末リストに登録されており、かつ、取得したＩＤ情報に関連付けられている送信先情報に対して、第２の緊急放送指示信号を一斉に送信することができる。
【００６４】
〔実施形態２〕
本発明に係るコンテンツ再生システムの一実施形態について、図６〜９を参照して以下に説明する。なお、実施形態１と同様の部材については、同一の番号を付し、その説明を省略する。
【００６５】
（放送コンテンツ再生システム）
本実施形態に係る放送コンテンツ再生システムの構成について、図６を参照して以下に説明する。図６は本実施形態に係る放送コンテンツ再生システムの構成を示している。図６に示すように、放送コンテンツ再生システムは、通信装置１および携帯型情報端末（放送コンテンツ再生装置）４１を備えている。また、通信装置１と携帯型情報端末４１は、ネットワーク通信３２を介して接続されている。
【００６６】
通信装置１は、放送局３１より発信される放送波に含まれる第１の緊急放送指示信号を受信し、第２の緊急放送指示信号を携帯型情報端末４１に対して送信する。携帯型情報端末４１は、第２の緊急放送指示信号を受けて、緊急放送波の受信を開始し、緊急放送波の表す緊急放送コンテンツを再生する。
【００６７】
携帯型情報端末４１により再生される放送コンテンツは、実施形態１と同様に、特に限定されるものではない。本実施形態では、放送コンテンツが緊急放送コンテンツである場合を例に挙げて説明する。なお、放送局３１は、放送コンテンツ再生システムを構成するものではないが、本発明の理解を容易にするために、便宜上、図６に示している。
【００６８】
以下に、本実施形態に係る放送コンテンツ再生システムを構成する各部材について説明するが、通信装置１については、実施形態１において詳述したため、ここではその説明を省略する。したがって、本実施形態では、携帯型情報端末４１についてのみ以下に説明する。
【００６９】
（携帯型情報端末４１の構成）
携帯型情報端末４１は、例えば、携帯電話またはＰＤＡなどの持ち運び可能な情報端末である。携帯型情報端末４１は、図７に示すように、起動信号受信部（指示信号受信手段）４２、デジタル放送起動部４３、チューナ部（放送波受信手段）２、復調部（再生手段）５、および、復号表示部（再生手段）６を備えている。なお、図７は、携帯型情報端末４１の構成を示すブロック図である。各部材の機能について、以下に説明する。
【００７０】
（起動信号受信部４２）
起動信号受信部４２は、通信装置１から送信される第２の緊急放送指示信号を含むデータを受信すると共に、デジタル放送起動部４３を起動する起動信号を生成する。
【００７１】
より具体的に説明すると、起動信号受信部４２は、図８に示すように、フォーマット解析部（判定手段）５１および起動信号生成部（信号生成手段）５２を備えている。これらの部材の機能について以下に説明する。
【００７２】
（フォーマット解析部５１）
フォーマット解析部５１は、受信したデータに第２の緊急放送指示信号が含まれているか否かを判定する。受信したデータに第２の緊急放送指示が含まれている場合、フォーマット解析部５１は、起動信号生成部５２に対して、起動信号の生成を指示する。起動信号生成部５２は、フォーマット解析部５１からの指示を受けて起動信号を生成すると共に、生成した起動信号をデジタル放送起動部４３に出力する。なお、図８は、起動信号受信部４２の構成を示すブロック図である。
【００７３】
（デジタル放送起動部４３）
デジタル放送起動部４３は、起動信号の入力を受けて、緊急放送波を受信するようにチューナ部２、復調部５、および復号表示部６を起動させる。
【００７４】
（緊急放送コンテンツ再生システムの動作）
緊急放送コンテンツ再生システムの動作について、以下に説明する。
【００７５】
まず、通信装置１は、放送局３１から受信した第１の緊急放送信号に含まれるフラグをトリガーとして、第２の緊急放送指示信号を生成する。そして、通信装置１は、生成した第２の緊急放送指示信号を携帯型情報端末４１に対して送信する。
【００７６】
なお、これらの動作については、実施形態１において詳述したため、ここではその詳細な説明を省略する。したがって、本実施形態では、第２の緊急放送指示信号を受信した携帯型情報端末４１の動作について、図９を参照して以下に説明する。なお、図９は、携帯型情報端末４１が緊急放送を再生する際の動作を示すフローチャートである。
【００７７】
携帯型情報端末４１は、起動信号受信部４２において第２の緊急放送指示信号を受信する（ステップＳ２１）。起動信号受信部４２の内部にあるフォーマット解析部５１は、受信したデータが第２の緊急放送指示信号を含むか否を判定する（ステップＳ２２）。
【００７８】
受信したデータに第２の緊急放送指示信号が含まれる場合（ステップＳ２２においてＹｅｓ）には、起動信号受信部４２の内部にある起動信号生成部５２は、起動信号を生成する（ステップＳ２３）。起動信号生成部５２は、生成した起動信号をデジタル放送起動部４３へ出力する。起動信号の入力を受けたデジタル放送起動部４３は、緊急放送波を受信するように、チューナ部２、復調部５、復号表示部６を起動する（ステップＳ２４）。
【００７９】
すなわち、チューナ部２は緊急放送波の受信を開始し（ステップＳ２５）、受信した緊急放送波を復調部５に出力する。復調部５は、入力された緊急放送波を復調する（ステップＳ２５）。復号表示部６は、復調部５において再生された緊急放送データから画像、音声などのコンテンツを復号する（ステップＳ２７）。復号表示部６は、画像であれば表示装置に表示し、音声であればスピーカなどの出力装置から出力する。
【００８０】
（放送コンテンツ再生システムの利点）
以上説明したように、携帯型情報端末４１側では、放送波に含まれるフラグを検出するための機能が不要となる。すなわち、携帯型情報端末４１は、フラグを検出する検出手段に要していた消費電力を不要にすることができる。したがって、通信装置１は、携帯型情報端末４１において必要であった消費電力を低減させることができる。
【００８１】
またフォーマット解析手段５１では、受信したデータに第２の緊急放送指示信号が含まれているか否かを判定する。そのため、起動信号受信部４２は、第２の緊急放送指示信号を含むデータ以外のデータも受信することができる。すなわち、起動信号受信部４２は、既に備えられている受信部により代用することができるため、起動信号受信部４２として新たに受信部を備える必要がない。これによって、携帯型情報端末４１は、起動信号受信部４２に要する消費電力を低減することができる。
【００８２】
（放送コンテンツ再生システムの変形例）
放送コンテンツ再生システムにおける通信装置が、基地局６１に備えられている通信装置２１であった場合には、図１０に示すように、通信装置２１は、複数の携帯型情報端末４１に対して一斉に第２の緊急放送指示信号を送信することができる。なお、図１０は、コンテンツ再生システムの変形例の構成を示す図である。
【００８３】
（付記事項）
なお、本実施形態では、受信装置が携帯型情報端末である場合を例に挙げて説明しているがこれに限定されるものではなく、同様の機能を有する装置であればよい。
【００８４】
以上の説明では、放送に緊急放送起動フラグをトリガーにした例を説明してきたが、再生する放送は緊急放送に限定されるものではない。例えば、地下街などに移動した際に、地下街にある商店の宣伝などを行うローカル放送を強制的に受信させるプッシュ型放送（ＰＵＳＨ型放送）などにも適用可能である。これは、緊急放送起動フラグを代用しても良いし、緊急放送とプッシュ型放送（ＰＵＳＨ型放送）を区別できるよう、ＴＭＣＣ内部に別の起動フラグを定義し、これをトリガーとしてもよい。
【００８５】
（プログラム、記録媒体）
本発明は上述した各実施形態に限定されるものではなく、請求項に示した範囲で種々の変更が可能であり、異なる実施形態にそれぞれ開示された技術的手段を適宜組み合わせて得られる実施形態についても本発明の技術的範囲に含まれる。
最後に、通信装置１（通信装置２１および携帯型情報端末４１）に含まれている各ブロックは、ハードウェアロジックによって構成すればよい。または、次のように、ＣＰＵ（Ｃｅｎｔｒａｌ  Ｐｒｏｃｅｓｓｉｎｇ  Ｕｎｉｔ）を用いてソフトウェアによって実現してもよい。
【００８６】
すなわち通信装置１および２１は、各機能を実現する制御プログラムのプログラムコード（実行形式プログラム、中間コードプログラム、ソースプログラム）をコンピュータで読み取り可能に記録していればよい。通信装置１および２１（またはＣＰＵやＭＰＵ）が、供給された記録媒体に記録されているプログラムコードを読み出し、実行すればよい。
【００８７】
プログラムコードを通信装置１および２１に供給する記録媒体は、たとえば、磁気テープやカセットテープ等のテープ系、
（商標登録）ディスク／ハードディスク等の磁気ディスクやＣＤ−ＲＯＭ／ＭＯ／ＭＤ／ＤＶＤ／ＣＤ−Ｒ等の光ディスクを含むディスク系、ＩＣカード（メモリカードを含む）／光カード等のカード系、あるいはマスクＲＯＭ／ＥＰＲＯＭ／ＥＥＰＲＯＭ／フラッシュＲＯＭ等の半導体メモリ系などとすることができる。
【００８８】
また通信装置１および２１は、通信ネットワークと接続可能に構成しても、本発明の目的を達成できる。この場合、上記のプログラムコードを、通信ネットワークを介して通信装置１および２１に供給する。この通信ネットワークは、通信装置１および２１にプログラムコードを供給できるものであればよく、特定の種類または形態に限定されない。たとえば、インターネット、イントラネット、エキストラネット、ＬＡＮ、ＩＳＤＮ、ＶＡＮ、ＣＡＴＶ通信網、移動体通信網、衛星通信網等であればよい。
【００８９】
この通信ネットワークを構成する伝送媒体も、プログラムコードを伝送可能な任意の媒体であればよく、特定の構成または種類のものに限定されない。たとえば、ＩＥＥＥ１３９４、ＵＳＢ（Ｕｎｉｖｅｒｓａｌ  Ｓｅｒｉａｌ  Ｂｕｓ）、電力線搬送、ケーブルＴＶ回線、電話線、ＡＤＳＬ（Ａｓｙｍｍｅｔｒｉｃ  Ｄｉｇｉｔａｌ  Ｓｕｂｓｃｒｉｂｅｒ  Ｌｉｎｅ）回線などの有線でも、ＩｒＤＡやリモコンのような赤外線、Ｂｌｕｅｔｏｏｔｈ（登録商標）、８０２．１１無線、ＨＤＲ、携帯電話網、衛星回線、地上波デジタル網等の無線でも利用可能である。なお、本発明は、上記プログラムコードが電子的な伝送で具現化された、搬送波に埋め込まれたコンピュータデータ信号の形態でも実現され得る。
【００９０】
本発明は上述した各実施形態に限定されるものではなく、請求項に示した範囲で種々の変更が可能であり、異なる実施形態にそれぞれ開示された技術的手段を適宜組み合わせて得られる実施形態についても本発明の技術的範囲に含まれる。
【産業上の利用可能性】
【００９１】
本発明に係る通信装置は、緊急放送波を受信不可能な状態の携帯電話を受信可能な状態にするための中継装置として幅広く利用することができる。
【図面の簡単な説明】
【００９２】
【図１】実施形態１に係る通信装置の構成を示すブロック図である。
【図２】実施形態１に係る通信装置の動作を示すフローチャートである。
【図３】第２の緊急放送指示信号の一例を示す図である。
【図４】実施形態１に係る通信装置の変形例の構成を示すブロック図である。
【図５】実施形態１に係る通信装置の変形例の動作を示すフローチャートである。
【図６】実施形態２に係る放送コンテンツ再生システムの構成を示す図である。
【図７】携帯型情報端末の構成を示すブロック図である。
【図８】起動信号受信部の構成を示すブロック図である。
【図９】携帯型情報端末の動作を示すフローチャートである。
【図１０】放送コンテンツ再生システムの変形例の構成を示すブロック図である。
【図１１】従来の受信機の復調部の構成を示すブロック図である。
【図１２】従来の受信機の構成を示すブロック図である。
【図１３】ワンセグ帯域内におけるＴＭＣＣキャリアの配置を示す図である。
【符号の説明】
【００９３】
１      通信装置
２      チューナ部（受信手段）
３      フラグ監視部（検出手段）
４      起動信号送信部（送信手段）
５      復調部（再生手段）
６      復号表示部（再生手段）
７      端末管理データベース
２１    通信装置
２２    エリア内端末管理部（識別情報取得手段）
４１    携帯型情報端末（放送コンテンツ再生装置）
４２    起動信号受信部（指示信号受信手段）
４３    デジタル放送起動部
５１    フォーマット解析部（判定手段）
５２    起動信号生成部（信号生成手段）
【図１】
2009253895.tif 000003
【図２】
2009253895.tif 000004
【図３】
2009253895.tif 000005
【図４】
2009253895.tif 000006
【図５】
2009253895.tif 000007
【図６】
2009253895.tif 000008
【図７】
2009253895.tif 000009
【図８】
2009253895.tif 000010
【図９】
2009253895.tif 000011
【図１０】
2009253895.tif 000012
【図１１】
2009253895.tif 000013
【図１２】
2009253895.tif 000014
【図１３】
2009253895.tif 000015